(57)【要約】【課題】電磁誘導を乱すような外乱の影響を受けにくい非接触型ＩＣカード及びカードリーダライタを実現する。【解決手段】非接触型ＩＣカードにそれぞれ巻き数が同じで巻き方向が逆の二つの電磁誘導コイル３、４を設け（図では電磁誘導コイル３、４のみを図示）、カードリーダライタ７０にそれぞれ巻き数が同じで巻き方向が逆の二つの磁束発生コイル１、２を設け、非接触型ＩＣカードをカードリーダライタに所定距離以内で接近させた際に、磁束発生コイル１、２が互いに逆方向の磁束１０１、１０２を非接触型ＩＣカードに印加し、電磁誘導コイル３が磁束１０１より誘導起電力Ｅ３１を発生させ、電磁誘導コイル４が磁束１０２より誘導起電力Ｅ４１を発生させて２倍の誘導起電力を得ることができ、また、非接触型ＩＣカードに外乱の磁束が加わった場合には、電磁誘導コイル３、４が相互に打消し合う誘導起電力を発生させる。【選択図】        図１
2004348636.tif 000002
【特許請求の範囲】
【請求項１】
磁束を発生させる所定のリーダライタ装置に所定距離以内で接近させた際に、電磁誘導に基づく起電力を発生させて前記リーダライタ装置との間で所定の照合処理を行う照合処理装置であって、
所定の巻き数及び巻き方向で形成された第１の電磁誘導コイルと、
前記第１の電磁誘導コイルと巻き数が同等で巻き方向が逆の第２の電磁誘導コイルとを備えることを特徴とする照合処理装置。
【請求項２】
所定の方向の磁束を発生させる第１の磁束発生コイルと、前記第１の磁束発生コイルの磁束と逆方向の磁束を発生させる第２の磁束発生コイルとを備えるリーダライタ装置に所定距離以内で接近させた際に、
前記第１の電磁誘導コイルは、
前記リーダライタ装置の第１の磁束発生コイルからの磁束により所定の方向の起電力を発生させ、
前記第２の電磁誘導コイルは、
前記リーダライタ装置の第２の磁束発生コイルからの磁束により前記第１の電磁誘導コイルの起電力と同じ方向の起電力を発生させることを特徴とする請求項１に記載の照合処理装置。
【請求項３】
前記照合処理装置は、
前記第１の電磁誘導コイル及び前記第２の電磁誘導コイルのそれぞれが同等の大きさの起電力を発生させることを特徴とする請求項２に記載の照合処理装置。
【請求項４】
前記照合処理装置は、
前記リーダライタ装置からの磁束以外の外乱の磁束が印加された際に、前記第１の電磁誘導コイル及び前記第２の電磁誘導コイルが互いに逆方向の起電力を発生させることを特徴とする請求項１に記載の照合処理装置。
【請求項５】
前記照合処理装置は、更に、
半導体チップを備え、
前記第１の電磁誘導コイルの一端を前記半導体チップに接続し、前記第１の電磁誘導コイルの他端を前記第２の電磁誘導コイルの一端に接続し、前記第２の電磁誘導コイルの他端を前記半導体チップに接続していることを特徴とする請求項１に記載の照合処理装置。
【請求項６】
前記照合処理装置は、更に、
半導体チップを備え、
前記第１の電磁誘導コイルの一端を前記半導体チップに接続し、前記第１の電磁誘導コイルの他端と前記第２の電磁誘導コイルの一端とを前記半導体チップ内で接続し、前記第２の電磁誘導コイルの他端を前記半導体チップに接続していることを特徴とする請求項１に記載の照合処理装置。
【請求項７】
磁束を発生させる所定のリーダライタ装置に所定距離以内で接近させた際に、電磁誘導に基づく起電力を発生させて前記リーダライタ装置との間で所定の照合処理を行う端末装置であって、
所定の巻き数及び巻き方向で形成された第１の電磁誘導コイルと、
前記第１の電磁誘導コイルと巻き数が同等で巻き方向が逆の第２の電磁誘導コイルとを備えることを特徴とする端末装置。
【請求項８】
所定の方向の磁束を発生させる第１の磁束発生コイルと、前記第１の磁束発生コイルの磁束と逆方向の磁束を発生させる第２の磁束発生コイルとを備えるリーダライタ装置に所定距離以内で接近させた際に、
前記第１の電磁誘導コイルは、
前記リーダライタ装置の第１の磁束発生コイルからの磁束により所定の方向の起電力を発生させ、
前記第２の電磁誘導コイルは、
前記リーダライタ装置の第２の磁束発生コイルからの磁束により前記第１の電磁誘導コイルの起電力と同じ方向の起電力を発生させることを特徴とする請求項７に記載の端末装置。
【請求項９】
前記端末装置は、
前記第１の電磁誘導コイル及び前記第２の電磁誘導コイルのそれぞれが同等の大きさの起電力を発生させることを特徴とする請求項８に記載の端末装置。
【請求項１０】
前記端末装置は、
前記リーダライタ装置からの磁束以外の外乱の磁束が印加された際に、前記第１の電磁誘導コイル及び前記第２の電磁誘導コイルが互いに逆方向の起電力を発生させることを特徴とする請求項７に記載の端末装置。
【請求項１１】
所定の照合処理装置を所定距離以内で接近させた際に、前記照合処理装置に磁束を印加し、前記照合処理装置に電磁誘導に基づく起電力を発生させて前記照合処理装置との間で所定の照合処理を行うリーダライタ装置であって、
所定の巻き数及び巻き方向で形成され、前記照合処理装置を所定距離以内で接近させた際に前記照合処理装置に所定の方向の磁束を印加する第１の磁束発生コイルと、
前記第１の磁束発生コイルと巻き数が同等で巻き方向が逆であり、前記照合処理装置を所定距離以内で接近させた際に前記照合処理装置に前記第１の磁束発生コイルの磁束と逆方向の磁束を印加する第２の磁束発生コイルとを備えることを特徴とするリーダライタ装置。
【請求項１２】
所定の巻き数及び巻き方向で形成された第１の電磁誘導コイルと、前記第１の電磁誘導コイルと巻き数が同等で巻き方向が逆の第２の電磁誘導コイルとを備える照合処理装置を所定距離以内で接近させた際に、
前記第１の磁束発生コイルは、
前記照合処理装置の第１の電磁誘導コイルに所定の方向の磁束を印加して前記第１の電磁誘導コイルに所定方向の起電力を発生させ、
前記第２の磁束発生コイルは、
前記照合処理装置の第２の電磁誘導コイルに前記第１の磁束発生コイルの磁束と逆方向の磁束を印加して前記第２の電磁誘導コイルに前記第１の電磁誘導コイルと同じ方向の起電力を発生させることを特徴とする請求項１１に記載のリーダライタ装置。
【請求項１３】
所定の場合に電磁誘導に基づく起電力を発生させて所定の照合処理を行う照合処理装置と、
前記照合処理装置を所定距離以内で接近させた際に、前記照合処理装置に磁束を印加し、前記照合処理装置に電磁誘導に基づく起電力を発生させて前記照合処理装置との間で照合処理を行うリーダライタ装置とを備える照合処理システムであって、
前記照合処理装置は、
所定の巻き数及び巻き方向で形成された第１の電磁誘導コイルと、
前記第１の電磁誘導コイルと巻き数が同等で巻き方向が逆の第２の電磁誘導コイルとを備え、
前記リーダライタ装置は、
所定の巻き数及び巻き方向で形成され、前記照合処理装置を所定距離以内で接近させた際に前記照合処理装置の第１の電磁誘導コイルに所定の方向の磁束を印加する第１の磁束発生コイルと、
前記第１の磁束発生コイルと巻き数が同等で巻き方向が逆であり、前記照合処理装置を所定距離以内で接近させた際に前記照合処理装置の第２の電磁誘導コイルに前記第１の磁束発生コイルの磁束と逆方向の磁束を印加する第２の磁束発生コイルとを備えることを特徴とする照合処理システム。
【請求項１４】
前記照合処理装置を前記リーダライタ装置に所定距離以内で接近させた際に、
前記照合処理装置において、
前記第１の電磁誘導コイルは、
前記リーダライタ装置の第１の磁束発生コイルからの磁束により所定の方向の起電力を発生させ、
前記第２の電磁誘導コイルは、
前記リーダライタ装置の第２の磁束発生コイルからの磁束により前記第１の電磁誘導コイルの起電力と同じ方向の起電力を発生させることを特徴とする請求項１３に記載の照合処理システム。
【請求項１５】
前記照合処理装置は、
前記第１の電磁誘導コイル及び前記第２の電磁誘導コイルのそれぞれが同等の大きさの起電力を発生させることを特徴とする請求項１４に記載の照合処理システム。
【発明の詳細な説明】
【０００１】
【発明の属する技術分野】
この発明は、照合処理装置、リーダライタ装置、端末装置、照合処理システムに関する。
【０００２】
【従来の技術】
所定のリーダライタ装置との間で照合用データを送受信して所定の照合処理を行う照合処理装置は、例えば、ＩＣカード形式で、電気錠の開錠、勤怠（出勤・退勤）の入力、通勤・通学定期券、カード決済（電子マネー）に使用されている。このようなＩＣカードは単体状態のまま、カードリーダライタで情報の読み書きする。ＩＣカードは、カードのデータを読み取るカードリーダライタとの情報の読み書き、ＩＣカードに内蔵されたＣＰＵ（Ｃｅｎｔｒａｌ  Ｐｒｏｃｅｓｓｉｎｇ  Ｕｎｉｔ）、メモリ等を作動させるための電力供給の手段により、接触型と非接触型に分類される。
接触型のＩＣカードは、カード表面に情報読み書き、電力供給のための接点端子を有し、カードリーダライタに接触させ、カードリーダライタとのデータ交換とＣＰＵ、メモリへの電力の供給を行なうようになっている。
非接触型のＩＣカードは、電磁誘導コイルを内蔵しており、カードリーダライタに所定距離以内で接近させた場合にこの内蔵電磁誘導コイルで受ける磁束によってカードリーダライタとのデータ交換とＣＰＵ、メモリへの電力の供給を行なうようになっている。
【０００３】
非接触型のＩＣカードに対応するカードリーダライタでは、その内部にリーダアンテナが設置されている。リーダアンテナは巻き方向が一である導線ループコイルにより形成されている。
一方、非接触型のＩＣカードは、ＣＰＵ、メモリ等の半導体チップ、巻き方向が一である電磁誘導コイルを内蔵しており、この内蔵の電磁誘導コイルにより、カードリーダライタに内蔵されたリーダアンテナ（巻き方向が一である導線ループコイル）より発せられる磁束を受信することで、電磁誘導に基づく起電力を発生させ、カードリーダライタとのデータ交換とＣＰＵ、メモリへの電力の供給を行なうようになっている。
即ち、巻き方向が一である電磁誘導コイルと巻き方向が一であるリーダアンテナ（導線ループコイル）が一対で構成されている。このような非接触型ＩＣカードをカードリーダライタにかざすだけで、電磁誘導原理によって、非接触型ＩＣカードへの電力の供給、及び情報の読み書きが完結する。
【０００４】
一般的な非接触型のＩＣカードは、半導体チップ（ＣＰＵ、メモリ等）、電磁誘導コイル、データ入出力端子等が、カード基盤（ＰＶＣ（塩化ビニルコンパウンド）樹脂、ＡＢＳ（アクリロニトリル・ブタジエン・スチレン）樹脂、ＰＥＴ（ポリエチレンテレフタレート）等）に埋め込まれて構成される。
【０００５】
また、このような非接触型ＩＣカード及びカードリーダライタの応用例として、特開２００３−６６８８号公報に記載の「運賃精算システムとその精算方法及び運賃精算システム用のコンピュータプログラム」がある。
当該公報の開示技術では、鉄道の定期券にデビットカード機能を付与し、デビットカードの認証を行うための認証データを格納した非接触型ＩＣカードを定期券の所有者に携帯させ、各駅の自動改札装置に非接触型ＩＣカードから認証データを読み取るための読取装置（カードリーダライタ）を設置し、定期券所有者が定期券区間外の駅の自動改札装置を通過する際に、自動改札装置に設置された読取装置（カードリーダライタ）が定期券所有者が携帯する非接触型ＩＣカードから認証データを読み取り、自動改札装置において、定期券内のデビットカードから読み取った顧客データと認証データとを照合して個人認証を行い、認証に成功した場合にデビットカードに対して乗り越し運賃の精算を行う。
【０００６】
【特許文献１】
特開２００３−６６８８号公報
【０００７】
【発明が解決しようとする課題】
前述の特開２００３−６６８８号公報の応用例をはじめ、電子マネー等への応用が期待されている非接触型ＩＣカード（実用されているものとしてフェリカカード、スイカカード等がある）は電磁誘導原理を応用して、情報の受け渡し、電力供給をおこなっているため、電磁誘導を乱すような外乱（カードリーダライタ以外からの磁界）を受けた場合、情報の受け渡し、電力供給が不充分となり、カードリーダライタと非接触型ＩＣカード間での送受信に乱れが生じる場合があった。
なお、電磁誘導を乱すような外乱としては、非接触型ＩＣカードを携帯機器に搭載した場合等に、携帯機器に搭載されているスピーカ、バイブレータ等から出る磁界等が考えられる。
【０００８】
そこで、本発明は、電磁誘導を乱すような外乱に対して、強い照合処理装置及びリーダライタ装置を提供することを目的の一つとする。
また、本発明は携帯電話機のような端末装置に実装可能な照合処理装置を提供することを目的の一つとする。
【０００９】
【課題を解決するための手段】
本発明に係る照合処理装置は、
磁束を発生させる所定のリーダライタ装置に所定距離以内で接近させた際に、電磁誘導に基づく起電力を発生させて前記リーダライタ装置との間で所定の照合処理を行う照合処理装置であって、
所定の巻き数及び巻き方向で形成された第１の電磁誘導コイルと、
前記第１の電磁誘導コイルと巻き数が同等で巻き方向が逆の第２の電磁誘導コイルとを備えることを特徴とする。
【００１０】
【発明の実施の形態】
実施の形態１．
図２は、実施の形態１に係る非接触型ＩＣカード５０の構成例を示す模式図である。非接触型ＩＣカード５０は、所定のカードリーダライタ（リーダライタ装置）に所定の距離以内で接近させた際に、電磁誘導に基づく起電力を発生させてカードリーダライタとの間で所定の照合処理を行う。非接触型ＩＣカード５０は、照合処理装置の例に相当する。
図２に示すように、本実施の形態に係る非接触型ＩＣカードでは、所定のカード基盤（ＰＶＣ（塩化ビニルコンパウンド）樹脂、ＡＢＳ（アクリロニトリル・ブタジエン・スチレン）樹脂、ＰＥＴ（ポリエチレンテレフタレート）等）に、磁気アンテナとしての機能を果たす電磁誘導コイル３、４が、互いに巻き方向が逆で、巻き数が同じになるように形成されている。なお、電磁誘導コイル３、４は、第１の電磁誘導コイル、第２の電磁誘導コイルの例に相当する。また、電磁誘導コイル３、４の巻き数は完全に一致していることが望ましいが、電磁誘導コイル３が電磁誘導により発生させる誘導起電力と電磁誘導コイル４が電磁誘導により発生させる誘導起電力とが同レベルになるのであれば、巻き数が完全に一致していなくもよい。
半導体チップ５は、例えば、図１２に示す構成となっており、ＣＰＵ（Ｃｅｎｔｒａｌ  Ｐｒｏｃｅｓｓｉｎｇ  Ｕｎｉｔ）５１、メモリ５２、インタフェース５３から構成される。
ＣＰＵ５１は、中央演算処理装置であり、非接触型ＩＣカード５０の全ての処理を制御する。例えば、セキュリティ確保のため、非接触型ＩＣカードの内蔵データの暗号処理演算を行う。また、暗号処理専用のプロセッサを別途追加してもよい。
メモリ５２は、一時的なデータを読み書きするためのＲＡＭ（Ｒａｎｄｏｍ  Ａｃｃｅｓｓ  Ｍｅｍｏｒｙ）、プログラムを格納するために使用する読み出し専用メモリであるＲＯＭ（Ｒｅａｄ  Ｏｎｌｙ  Ｍｅｍｏｒｙ）、おもにデータを格納するために使用する書き込み可能なメモリであるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）から構成されている。
インタフェース５３は、非接触型ＩＣカード５０と外部との通信制御を行う。
半導体チップ５は電磁誘導コイル３の一端Ａと、電磁誘導コイル４の他端Ｂと接続されている。そして、電磁誘導コイル３の他端Ｃと電磁誘導コイル４の一端Ｄとが接続されている。つまり、図２では、巻き方向の異なる一対の電磁誘導コイルが、閉じた回路で構成されている。
このように配線し、図１に示すようにそれぞれの電磁誘導コイルに磁束を印加することによって、電磁誘導コイルが一個の場合に比べて２倍の起電力を得られることになる。
【００１１】
図１は、図２に示した非接触型ＩＣカードとカードリーダライタ（リーダライタ装置）との相互作用を説明する図である。なお、非接触型ＩＣカードとカードリーダライタとを組み合わせたものを非接触型ＩＤ識別システム（照合処理システム）という。
図１では、説明の便宜のため、非接触型ＩＣカードの構成要素のうち電磁誘導コイル３、４のみを抜き出して図示している。電磁誘導コイル３、４は、図２に示したものと同様であり、互いに巻き方向が逆で、巻き数が同じになるように形成されている。また、図１では電磁誘導コイル３、４の配置が図２と異なっているが、図１の配置と図２の配置は機能的には同じである。
図１において、カードリーダライタ７０には、磁束発生コイル１、２が配置されている。（なお、図１では、説明の便宜のため、磁束発生コイル１、２のみを図示している。カードリーダライタ７０の全体の構成は後述する。）磁束発生コイル１、２は、それぞれ巻き数が同じで巻き方向が逆に形成されている。また、磁束発生コイル１、２で発生する磁束は大きさが同じで、磁束方向が互いに逆方向となる。
磁束発生コイル１、２は、第１の磁束発生コイル、第２の磁束発生コイルの例に相当する。
【００１２】
ここで、カードリーダライタ７０の構成例を図１３に示す。
図１３に示すように、カードリーダライタ７０は機能的に、アンテナ部７０１、電波インタフェース７０２、制御システム７０３に分けることができる。
アンテナ部７０１には、図１に示された磁束発生コイル１、２が配置されており、非接触型ＩＣカード５０を所定距離以内で接近させた場合に、磁束を発生させるとともに、非接触型ＩＣカード５０との間で照合処理のためのデータ送受信を行う。
電波インタフェース７０２はアンテナ部７０１とのインタフェースとなり、カードリーダライタの内蔵データを非接触型ＩＣカードに送信するための送信機と、非接触型ＩＣカードから送信されたデータを受信するための受信機から構成される。
制御システム７０３は、ＣＰＵ、メモリ等で構成され、カードリーダライタ７０全体の制御を行う。
【００１３】
次に、図１に示す非接触型ＩＤ識別システムにおける電磁誘導のメカニズムを説明する。
磁束発生コイル１、２から発生した磁束１０１、２０１（磁束２０１は磁束１０１と方向が逆方向）により、磁束の変化（磁束１０１、２０１）を妨げる向きの誘導起電力（Ｅ＝ΔΦ／Δｔ  ΔΦ：磁束密度の変化、Δｔ：時間）が、電磁誘導コイル３、４に生じる。これにより、電磁誘導コイル３、４により磁束３０１、４０１が生じる。
電磁誘導コイル３に発生する誘導起電力をＥ３１とすると、電磁誘導コイル４に発生する誘導起電力Ｅ４１＝Ｅ３１となる（磁束１０１と磁束２０１の密度が同じで、電磁誘導コイル３と電磁誘導コイル４の巻き数が同じで巻き方向が逆のとき）。つまり、図１及び図２に示す非接触型ＩＣカードを図１に示すリーダライタに所定距離内で接近させた場合に、電磁誘導コイル３と電磁誘導コイル４でそれぞれ同等の大きさで同じ方向の起電力が発生する。そして、図１及び図２に示す非接触型ＩＣカードで発生する起電力の大きさは、従来の非接触型ＩＣカード（電磁誘導コイルが１つ）を従来のリーダライタ（磁束発生コイルが１つ）に所定距離以内で接近させた場合に発生する起電力の２倍となる。
そして、図１より、このように配置された電磁誘導コイル３、４より発生した磁束３０１、４０１は効率よく閉じたループ３０２を形成することになる。
即ち、電磁誘導コイル３、４が近接している為、磁束のループが強化される。即ちロスが少なくなる。
このように、本実施の形態に係る非接触型ＩＤ識別システムでは、図１に示すように、リーダライタの磁束発生コイル１、２に対して、それぞれ電磁誘導コイル３、４が一対一で対応した位置関係を保持することにより、磁束３０１、４０１を発生させ効率よく閉じたループ３０２を形成するようになる。
換言すると、リーダライタの磁束発生コイル１、２に対して、電磁誘導コイル３、４の位置決めが確定できるようにする必要がある。
【００１４】
ここで、図２に示す非接触型ＩＣカード５０に外乱（外部からの磁束変動）が加わった場合について説明する。図２に示す非接触型ＩＣカード５０に外乱が加わる場合としては、例えば、図２に示す非接触型ＩＣカードを携帯電話機に実装した場合であって、携帯電話機のスピーカ、バイブレータ等を発生源とする磁束（外乱）が非接触型ＩＣカードに作用した場合がある。
【００１５】
図２の非接触型ＩＣカードでは、外乱（外部からの磁束変動）を受けた場合に電磁誘導コイル３で発生する起電力と電磁誘導コイル４で発生する起電力とは互いに逆向きとなるため、電磁誘導コイル３で発生した起電力と電磁誘導コイル４で発生した起電力は相互に打消し合うこととなる。
図３は、図２に示す非接触型ＩＣカードの電磁誘導コイル３、４に外部から磁束４０１（外乱）がかかった状態を示す。
磁束４０１として考えられるものは、例えば、携帯電話機に非接触型ＩＣカードを搭載する場合において、携帯電話機のスピーカ、バイブレータ等の磁石・電磁石等からの磁気・磁束が考えられる。
電磁誘導コイル３、４に外乱である磁束６０１が作用すると、電磁誘導コイル３と電磁誘導コイル４では、この磁束６０１を打ち消すような起電力が発生し磁束３０３、４０３が発生する。
この場合において、磁束３０３、４０３が発生することは、電磁誘導コイル３、４により発生する起電力の方向が相互に逆となり、相互に起電力を打ち消すこととなる。
即ち、図２に示すように電磁誘導コイルを配置した非接触型ＩＣカードは、外乱に対して強いということができる。
【００１６】
このように、本実施の形態では、非接触型ＩＣカード（照合処理装置）に巻き数が同等で巻き方向が逆の２つの電磁誘導コイルを設け、カードリーダライタ（リーダライタ装置）に巻き数が同等で巻き方向が逆の２つの磁束発生コイルを設けたため、非接触型ＩＣカードとカードリーダライタとを所定距離以内で接近させた場合に、両者の相互作用により、電磁誘導コイルが１つの場合に比べて２倍の起電力を得ることができる。
また、２倍の起電力を得ることで、非接触型ＩＣカードに搭載されているＣＰＵやメモリに供給できる電力が大きくなり、例えば、ＣＰＵに複雑かつ高度な演算処理を実行させることが可能になる。また、これにより、例えば、ＣＰＵに複雑かつ高度な暗号化及び復号化処理を実行させることが可能になり、カードリーダライタとのデータ交換のセキュリティを向上させることができる。
【００１７】
また、本実施の形態に係る非接触型ＩＣカード、カードリーダライタに外乱による一方向の磁束が印加された場合でも、外乱の磁束を打ち消すことができるため、非接触型ＩＣカードとカードリーダライタ間の通信を安定して行うことができる。
また、外乱によって一方向の磁束が印加された際に外乱の磁束を打ち消すことで、外乱の磁束による起電力の発生を抑えることができ、非接触型ＩＣカード、カードリーダライタ単体としても、外乱の磁束により発生する起電力によりＣＰＵやメモリが損傷することを防止できる効果がある。
【００１８】
実施の形態２．
図４は、実施の形態１に係る非接触型ＩＣカード５０の構成例を示す模式図である。
カードリーダライタは、図１及び図１３と同じ構成であるので説明を省略する。
実施の形態１における非接触型ＩＣカードと同じく、電磁誘導コイル３０、４０は、巻き数が同等で巻き方向が逆の一対の電磁誘導コイルである。
また、半導体チップ５の構成は図１２に示す通りである。
図４の非接触型ＩＣカードを用いた際の電磁誘導のメカニズムは、実施の形態１の場合と同じなので説明を省略する。
図４の非接触型ＩＣカード５０の特徴は、電磁誘導コイル３０、４０が、実施の形態１の場合とは異なり、それぞれの始端と終端が半導体チップ５に接続され、個別に閉じたコイルとして配線し、半導体チップ５に配線することにある。
電磁誘導コイル３０、４０は半導体チップ５内のＣＰＵ、メモリ等に図５のように配線・接続される。
【００１９】
このように配置された電磁誘導コイル３０、４０は、外乱（外部からの磁束変動）を受けた際に、それぞれ逆方向の起電力が発生しようとする為、互いに起電力を打消し合うこととなり、外乱の影響を受けにくくなる。
また、本実施の形態に係る非接触型ＩＣカードは、実施の形態１に示した非接触型ＩＣカードと同様に、巻き数が同じで巻き方向が逆の２つの電磁誘導コイルを備えるため、電磁誘導コイルが１つの非接触型ＩＣカードに比べて２倍の起電力を得ることができる。
【００２０】
実施の形態３．
本実施の形態では、実施の形態１及び実施の形態２に示した非接触型ＩＣカードを端末装置の一例である携帯電話機に搭載する例について説明する。なお、以下では、非接触型ＩＣカードを携帯電話機に搭載するとは、非接触型ＩＣカードそのもの（ＩＣカードそのもの）を携帯電話機に実装する場合と、非接触型ＩＣカードそのものでなくカード基盤（ＰＶＣ樹脂、ＡＢＳ樹脂、ＰＥＴ等）を除いた他の構成要素（２つの電磁誘導コイル、半導体チップ、データ入出力端子等及びこれらを接続する配線）を例えば一体成形により携帯電話機のケースに実装する場合の両者をいう。
【００２１】
図６、図７は、一体型の携帯電話機１００に非接触型ＩＣカード５０を搭載した例を示す透視模式図である。
図６は、携帯電話機１００の正面を示した図であり、図７は携帯電話機１００の背面を示した図である。
図６に示すように、携帯電話機１００は、液晶表示部８、操作キー１０等を有する。また、フロントケース６側内部には、イヤピース（受話スピーカ）７が内蔵されている。
図７は、携帯電話機１００の背面を示す透視図であり、図７では、携帯電話機１００の背面（リアケース側の面）に実施の形態１で示した非接触型ＩＣカード５０を搭載している。
非接触型ＩＣカード５０は、半導体チップ（ＣＰＵ、メモリ等）５０５、電磁誘導コイル５０３、５０４からなっており、電磁誘導コイル５０３、５０４は互いに巻き方向が逆で、巻き数が同じになるように形成されている。
非接触型ＩＣカード５０を携帯電話機１００に搭載した場合に、非接触型ＩＣカード５０は、受話スピーカ７及び、アラームスピーカ（呼出し用スピーカ、図示せず）、バイブレータ（図示せず）等を発生源とする外乱の磁束を受けることになるが、実施の形態１及び実施の形態２で説明したように、非接触型ＩＣカード５０はこれら磁束の影響を打ち消すことができ、携帯電話機１００に搭載した場合でもカードリーダライタとの間で円滑に照合処理を行うことができる。
非接触型ＩＣカード５０の実装の方法は、携帯電話機のリアケースの内側に貼付け等、或いはリアケースへの一体成形等によって、配置・固定することができる。
【００２２】
図８は、側面に非接触型ＩＣカード５０を搭載した一体型の携帯電話機１００を携帯電話機１００の背面から見た状態を示す透視図である。
非接触型ＩＣカード５０は、半導体チップ（ＣＰＵ、メモリ等）５０５、電磁誘導コイル５０３、５０４からなっており、電磁誘導コイル５０３、５０４は互いに巻き方向が逆で、巻き数が同じになるように形成されている。
この場合、非接触型ＩＣカード５０は、受話スピーカ７或いは、アラームスピーカ（呼出し用スピーカ、図示せず）、バイブレータ９等を発生源とする磁束を受けることになるが、実施の形態１及び実施の形態２で説明したように、非接触型ＩＣカード５０はこれら磁束の影響を打ち消すことができ、携帯電話機１００に搭載した場合でもカードリーダライタとの間で円滑に照合処理を行うことができる。
非接触型ＩＣカード５０の実装の方法は、携帯電話機のケース（フロント、リア）の内側に貼付け等、或いはケース（フロント、リア）への一体成形等によって、配置・固定することができる。
【００２３】
また、図７及び図８の例に加えて、フロントケース側の面（図６に示す面）への実装も可能である。
【００２４】
図９は、２つ折れ筐体型の携帯電話機１００の斜視図である。
筐体部４００には、液晶表示部８があり、筐体部２００には、操作キー１０、１２がある。
また、筐体部４００と筐体部２００はヒンジ部３００によって、連結されており、２つ折れに折りたたむことができる。
【００２５】
図１０は、図９に示す携帯電話機１００の液晶表示部８の背面からの透視模式図を示す。
図１０では、非接触型ＩＣカード５０は携帯電話機の筐体部４００の背面（液晶表示部８の裏面側）に配置・固定されている。
非接触型ＩＣカード５０は、半導体チップ（ＣＰＵ、メモリ等）５０５、電磁誘導コイル５０３、５０４からなっており、電磁誘導コイル５０３、５０４は互いに巻き方向が逆で、巻き数が同じになるように形成されている。
この場合、非接触型ＩＣカード５０は、筐体部４００の内部に実装されている受話スピーカ（図示せず）或いは、アラームスピーカ（呼出し用スピーカ）（図示せず）、バイブレータ等（図示せず）を発生源とする磁束を受けることになるが、実施の形態１及び実施の形態２で説明したように、非接触型ＩＣカード５０はこれら磁束の影響を打ち消すことができ、携帯電話機１００に搭載した場合でもカードリーダライタとの間で円滑に照合処理を行うことができる。
非接触型ＩＣカード５０の実装の方法は、携帯電話機のリアケースの内側に貼付け等、或いは筐体部４００の成形品への一体成形等によって、配置・固定することができる。
【００２６】
図１１は、図９に示す携帯電話機１００の液晶表示部８の背面からの透視模式図である。
図１１では、非接触型ＩＣカード５０は携帯電話機の筐体部４００の側面（液晶表示部８の側面側）に配置・固定されている。
非接触型ＩＣカード５０は、半導体チップ（ＣＰＵ、メモリ等）５０５、電磁誘導コイル５０３、５０４からなっている。
この場合においても、非接触型ＩＣカード５０は筐体部４００の内部に実装されている受話スピーカ（図示せず）或いは、アラームスピーカ（呼出し用スピーカ）（図示せず）、バイブレータ等（図示せず）を発生源とする磁束を受けることになるが、実施の形態１及び実施の形態２で説明したように、非接触型ＩＣカード５０はこれら磁束の影響を打ち消すことができ、携帯電話機１００に搭載した場合でもカードリーダライタとの間で円滑に照合処理を行うことができる。
非接触型ＩＣカード５０の実装の方法は、携帯電話機のケースの内側に貼付け等、或いは筐体部４００の成形品への一体成形等によって、配置・固定される。
【００２７】
また、非接触型ＩＣカード５０は筐体部２００の側面（操作キー１１、１２の側面側）に配置・固定してもよい。
非接触型ＩＣカード５０の実装の方法は、携帯電話機の筐体部２００のケースの内側に貼付け等、或いは筐体部２００の成形品への一体成形等によって、配置・固定される。
【００２８】
また、非接触型ＩＣカード５０を筐体部２００の背面（操作キー１１、１２の裏面側）に配置・固定してもよい。配置・固定の方法は、携帯電話機の筐体部２００のケースの内側に貼付け等、或いは筐体部２００の成形品への一体成形等によって、配置・固定される。
また、非接触型ＩＣカード５０を操作キー配置面側に配置・固定してもよい。
更に、非接触型ＩＣカード５０を液晶表示部８側へ配置・固定してもよい。
【００２９】
なお、本実施の形態で示したように非接触型ＩＣカードを携帯電話機に搭載する場合においても、図１と同様の位置関係になるように非接触型ＩＣカードが配置されている面をカードリーダライタに対向させて非接触型ＩＣカードとカードリーダライタとの間で照合処理のためのデータ送受信を行わせる。本実施の形態においても、図１と同様に、リーダライタの磁束発生コイル１、２に対して、それぞれ電磁誘導コイル５０３、５０４が一対一で対応した位置関係を保持することにより、磁束３０１、４０１を発生させ効率よく閉じたループ３０２を形成するようになる。
【００３０】
【発明の効果】
このように、本発明によれば、照合処理装置は、所定の巻き数及び巻き方向で形成された第１の電磁誘導コイルと、前記第１の電磁誘導コイルと巻き数が同等で巻き方向が逆の第２の電磁誘導コイルとを備えるため、所定のリーダライタ装置に所定距離以内で接近させた際に、電磁誘導コイルが一つの場合に比べてより多くの起電力を得ることができ、リーダライタ装置との間で円滑に照合処理を行うことができる。
【図面の簡単な説明】
【図１】実施の形態１に係る非接触型ＩＤ識別システムの動作原理を示す図。
【図２】実施の形態１に係る非接触型ＩＣカードの構成例を示す模式図。
【図３】外乱が加わった場合の非接触型ＩＣカードの状態を示す図。
【図４】実施の形態２に係る非接触型ＩＣカードの構成例を示す図。
【図５】実施の形態２に係る非接触型ＩＣカードの構成例を示す図。
【図６】実施の形態３に係る一体型の携帯電話機を示す図。
【図７】実施の形態３に係る非接触型ＩＣカードを搭載した携帯電話機を示す図。
【図８】実施の形態３に係る非接触型ＩＣカードを搭載した携帯電話機を示す図。
【図９】実施の形態３に係る２つ折れ筐体型の携帯電話機を示す図。
【図１０】実施の形態３に係る非接触型ＩＣカードを搭載した携帯電話機を示す図。
【図１１】実施の形態３に係る非接触型ＩＣカードを搭載した携帯電話機を示す図。
【図１２】実施の形態１及び２に係る非接触型ＩＣカードの半導体チップの構成例を示す図。
【図１３】実施の形態１及び２に係るカードリーダライタの構成例を示す図。
【符号の説明】
１  磁束発生コイル、２  磁束発生コイル、３  電磁誘導コイル、４  電磁誘導コイル、５  半導体チップ、３０  電磁誘導コイル、４０  電磁誘導コイル、５０  非接触型ＩＣカード、７０  カードリーダライタ、１００  携帯電話機。
【図１】
2004348636.tif 000003
【図２】
2004348636.tif 000004
【図３】
2004348636.tif 000005
【図４】
2004348636.tif 000006
【図５】
2004348636.tif 000007
【図６】
2004348636.tif 000008
【図７】
2004348636.tif 000009
【図８】
2004348636.tif 000010
【図９】
2004348636.tif 000011
【図１０】
2004348636.tif 000012
【図１１】
2004348636.tif 000013
【図１２】
2004348636.tif 000014
【図１３】
2004348636.tif 000015